(57)【要約】【課題】  操作インタフェースの性能を向上する。【解決手段】  原稿を読み取る読取部２０１と、操作者からの操作コマンドの入力に基づいて読取部２０１が読み取った原稿の画像データを処理する画像処理部と、を有する画像処理装置１であり、操作コマンドと操作者が行う所定ジェスチャ動作とが対応付けられて記憶されている操作コマンド記憶部と、読取部の読取面を中心とした所定範囲が操作者によるジェスチャ動作の検知範囲となるように取り付けられていてジェスチャ動作を検知するジェスチャ検知部２０４と、ジェスチャ検知部２０４が検知したジェスチャ動作が、操作コマンド記憶部に記憶されている所定ジェスチャ動作であるか否かを特定するジェスチャ動作特定部と、ジェスチャ動作特定部が特定した所定ジェスチャ動作に対応付けられている操作コマンドを画像処理装置に出力するコマンド制御部と、を有する。【選択図】図１
2016131310.tif 000002
【特許請求の範囲】
【請求項１】
原稿を読み取る読取部と、操作者からの操作コマンドの入力に基づいて前記読取部が読み取った前記原稿の画像データを処理する画像処理部と、を有する画像処理装置であり、
前記操作コマンドと前記操作者が行う所定ジェスチャ動作とが対応付けられて記憶されている操作コマンド記憶部と、
前記読取部の読取面を中心とした所定範囲が操作者によるジェスチャ動作の検知範囲となるように取り付けられていて前記ジェスチャ動作を検知するジェスチャ検知部と、
前記ジェスチャ検知部が検知した前記ジェスチャ動作が、前記操作コマンド記憶部に記憶されている前記所定ジェスチャ動作であるか否かを特定するジェスチャ動作特定部と、
前記ジェスチャ動作特定部が特定した前記所定ジェスチャ動作に対応付けられている前記操作コマンドを前記画像処理装置に出力するコマンド制御部と、
を有する画像処理装置。
【請求項２】
前記ジェスチャ検知部は、前記読取部の読取面に垂直な方向を向くように取り付けられている、
請求項１記載の画像処理装置。
【請求項３】
前記操作者による前記操作コマンドの入力を受け付ける入力部を有し、
前記ジェスチャ検知部は、前記入力部の垂直方向を中心とした所定範囲が前記ジェスチャ動作の検知範囲となるように取り付けられている、
請求項１または２記載の画像処理装置。
【請求項４】
前記読取部に対して開閉可能に取り付けられていて前記原稿を前記読取部に供給する原稿供給部を有し、
前記ジェスチャ検知部は、前記原稿供給部が開いた状態のときに前記ジェスチャ動作を検出することができる、
請求項１乃至３記載の画像処理装置。
【請求項５】
前記ジェスチャ検知部は、前記原稿供給部に取り付けられている、
請求項４記載の画像処理装置。
【請求項６】
前記ジェスチャ検知部は、前記原稿供給部が閉じられた状態のときに前記原稿供給部に覆われる位置に取り付けられている、
請求項４記載の画像処理装置。
【請求項７】
前記ジェスチャ検知部は、前記操作者の顔や頭の動きを前記ジェスチャ動作として検知する、
請求項１乃至６のいずれかに記載の画像処理装置。
【請求項８】
前記ジェスチャ検知部は、前記読取部が見開き原稿の読取、または複数原稿を読取るときに前記ジェスチャ動作を検知する、
請求項１乃至７のいずれかに記載の画像処理装置。
【請求項９】
原稿を読み取り、読み取った前記原稿の画像データを処理する画像処理装置と、
前記原稿の画像データを印刷物として出力する画像形成部と、を有する画像形成装置であり、
前記画像処理装置は、請求項１乃至８のいずれかに記載の画像処理装置であることを特徴とする画像形成装置。
【請求項１０】
原稿を読み取る読取部と、操作者からの操作コマンドの入力に基づいて前記読取部が読み取った前記原稿の画像データを処理する画像処理部と、を有する画像処理装置のコンピュータに実行させる画像処理プログラムであり、
前記画像処理装置は、
前記読取部の読取面を中心とした所定範囲が前記操作者によるジェスチャ動作の検知範囲となるように取り付けられていて、前記ジェスチャ動作を検知するジェスチャ検知部と、
前記操作コマンドと前記操作者が行う所定ジェスチャ動作とが対応付けられて記憶されている操作コマンド記憶部を有し、
前記コンピュータに、
前記ジェスチャ動作を検知するステップと、
前記ジェスチャ動作が、前記操作コマンド記憶部に記憶されている前記所定ジェスチャ動作であるか否かを特定するステップと、
特定した前記所定ジェスチャ動作に対応付けられている前記操作コマンドを前記画像処理装置に出力するステップと、
を実行させる画像処理プログラム。
【発明の詳細な説明】
【技術分野】
【０００１】
本発明は、画像処理装置と、画像形成装置と、画像処理プログラムとに関するものである。
【背景技術】
【０００２】
原稿を読取って画像処理する画像処理装置や読取った原稿の画像を出力して原稿を複写する画像形成装置では、見開き原稿や複数枚を集約した原稿を読取る場合などに、装置の操作時に操作者が原稿から手を放すと、読取時に原稿がずれてしまうことがある。一般的に、読取時に原稿がずれた場合には、再度複写し直していた。上述の原稿読取時の原稿のずれを防ぐために、フットスイッチが設けられていて操作者が足で操作する画像形成装置も知られている。
【０００３】
近年、物体の動きを検知するモーションセンサに関する技術が発展している。モーションセンサの検知方式には、例えば光切断法、パターン投影法、ＴＯＦ（Time Of Flight）法、ステレオカメラ法などがある。また、モーションセンサを操作インタフェースとして用いた入力装置および入力装置の制御方法についての技術が提案されている（例えば、特許文献１参照）。
【発明の概要】
【発明が解決しようとする課題】
【０００４】
モーションセンサを画像処理装置や画像形成装置の操作インタフェースとして用いる場合に、装置の周辺にいる操作者以外の人物の動きを誤検知してしまうおそれがある。また、操作者以外の人物の動きを誤検知してしまうことで、装置の周辺の人物に対して装置から監視されているように感じさせるおそれもある。
【０００５】
本発明は、操作インタフェースの性能を向上することができる画像処理装置を提供することを目的とする。
【課題を解決するための手段】
【０００６】
本発明は、原稿を読み取る読取部と、操作者からの操作コマンドの入力に基づいて読取部が読み取った原稿の画像データを処理する画像処理部と、を有する画像処理装置であり、操作コマンドと操作者が行う所定ジェスチャ動作とが対応付けられて記憶されている操作コマンド記憶部と、読取部の読取面を中心とした所定範囲が操作者によるジェスチャ動作の検知範囲となるように取り付けられていてジェスチャ動作を検知するジェスチャ検知部と、ジェスチャ検知部が検知したジェスチャ動作が、操作コマンド記憶部に記憶されている所定ジェスチャ動作であるか否かを特定するジェスチャ動作特定部と、ジェスチャ動作特定部が特定した所定ジェスチャ動作に対応付けられている操作コマンドを画像処理装置に出力するコマンド制御部と、を有することを特徴とする。
【発明の効果】
【０００７】
本発明によれば、操作インタフェースの性能を向上することができる。
【図面の簡単な説明】
【０００８】
【図１】本発明に係る画像形成装置の実施の形態を示す斜視図である。
【図２】図１の画像形成装置の読取部を示す光学配置図である。
【図３】図１の画像形成装置の画像形成部を示す光学配置図である。
【図４】図１の画像形成装置のモーションセンサを示す斜視図である。
【図５】図１の画像形成装置の機能ブロック図である。
【図６】図４のモーションセンサが取得した操作者の画像データの例を示す模式図である。
【図７】図６の画像データから生成された特徴点抽出画像データの例を示す模式図である。
【図８】図１の画像形成装置の操作コマンド記憶部のデータテーブルの例を示す模式図である。
【図９】本発明に係る画像処理プログラムのフローチャートである。
【図１０】本発明に係る画像形成装置の別の実施の形態を示す斜視図である。
【図１１】本発明に係る画像形成装置のさらに別の実施の形態を示す斜視図である。
【発明を実施するための形態】
【０００９】
以下、本発明に係る画像処理装置と本発明に係る画像形成装置と本発明に係る画像処理プログラムの実施の形態について、図面を参照しながら説明する。
【００１０】
●画像形成装置（１）●
本発明に係る画像形成装置の実施の形態について説明する。
【００１１】
●画像形成装置の構成
図１に示すように、本発明に係る実施の形態である画像形成装置１は、原稿を読取る読取部２０１と、読取部２０１が読取った原稿の画像データに基づいて印刷を行う画像形成部２０２とを有する。なお、画像形成部２０２は例えば図３に示すような電子写真方式であってもよいし、インクジェット方式であってもよい。
【００１２】
読取部２０１には、読取対象の原稿が載置される原稿台３０２が、画像形成装置１の上面に設けられている。
【００１３】
読取部２０１の上面には、画像形成装置１の操作者が行うジェスチャ動作を検知するジェスチャ検知部としてのモーションセンサ２０４が備えられている。モーションセンサ２０４の構成と動作については後述する。また、読取部２０１の上面には、複写条件など画像形成装置１の操作を行うための操作コマンドを操作者に入力させる入力部２０５が備えられている。また、読取部２０１の上面には、用紙・枚数・両面/片面などの複写条件を表示する表示部２０６が備えられている。
【００１４】
読取部２０１の上には、原稿台３０２に原稿を供給する原稿供給部（以下「ＡＤＦ（Automatic Document Feeder）２０３」という。）が設けられている。ＡＤＦ２０３は、原稿台３０２の上面に原稿台３０２に対して開閉可能な状態で支持されている。ＡＤＦ２０３は、原稿台３０２に原稿を自動的に配置させて原稿を読取らせた後、その原稿を排出する動作を繰り返す。本実施の形態では、主にＡＤＦ２０３を用いないで原稿台３０２に直接原稿を設置して読取部２０１による画像入力（画像読取）を行う例について説明する。
【００１５】
図２を用いて、画像形成装置１の読取部２０１の構成を説明する。読取部２０１は、原稿台３０２上に設置された原稿の画像データを読取るために、原稿台３０２の下方に配置されている。読取部２０１は、原稿台３０２の下面に沿って平行に往復移動する第１原稿走査体３０４および第２原稿走査体３０５を有している。また、読取部２０１は、第２原稿走査体３０５からの光を通過させる光学レンズ３０６と、光電変換素子であるＣＣＤ（Charge Coupled Device）３０７などを有している。
【００１６】
第１原稿走査体３０４は、原稿画像の表面を露光する露光ランプと、原稿からの反射光像を所定の方向に向かって反射する第１ミラーとを有する。第１原稿走査体３０４は、原稿台３０２の下面に対して一定の距離を保ちながら所定の走査速度で平行に往復移動する。第２原稿走査体３０５は、第１原稿走査体３０４の第１ミラーにより偏向された原稿からの反射光像をさらに所定の方向に向かって反射する第２および第３ミラーを有する。第２原稿走査体３０５は、第１原稿走査体３０４と一定の速度関係を保って平行に往復移動する。
【００１７】
光学レンズ３０６は、第２の原稿走査体３０５の第３ミラーにより偏向された原稿からの反射光の像をＣＣＤ３０７上の所定位置に結像させる。
【００１８】
ＣＣＤ３０７は、結像された像を順次光電変換して電気信号として出力する。ＣＣＤ３０７は、例えば３ラインのカラーＣＣＤのラインセンサである。ＣＣＤ３０７は、原稿台３０２の上に置かれた原稿の表面の白黒画像あるいはカラー画像を読み取り、読み取った画像データに含まれる色情報をＲ（赤）・Ｇ（緑）・Ｂ（青）の各色成分に色分解したラインデータ（ＲＧＢ信号）として出力することができる。ＣＣＤ３０７によりＲＧＢの電気信号に変換された原稿の画像データは、画像形成装置１の内部に搭載されている画像処理部に送られる。
【００１９】
画像処理部は、ＣＣＤ３０７が出力したＲＧＢ信号をＣ（シアン）・Ｍ（マゼンタ）・Ｙ（イエロー）・Ｋ（黒）の各色成分に変換する色変換ＢＧ／ＵＣＲ部を有する。また、画像処理部は、ＣＭＹＫ各信号を画像形成部２０２に適した信号になるようにγ変換し、ディザ処理して２値や３値の信号に変換するγ変換部を有する。画像処理部は、入力部２０５から入力された複写条件（用紙・枚数・両面印刷または片面印刷など）などの操作コマンドを表示部２０６に表示して操作者に操作内容を確認させつつ複写条件に応じ処理を行う。画像処理部は、操作コマンドに対応した処理を行ったあと、処理信号を画像形成部２０２に出力する。
【００２０】
図３に示す画像形成装置１の画像形成部２０２は、電子写真方式のカラー画像記録装置における画像形成部の例を示す。画像形成部２０２は、複数の像形成体（画像形成ユニット５０）の周面上にそれぞれイエロー（Ｙ）、マゼンタ（Ｍ）、シアン（Ｃ）、および黒（Ｋ）の各トナー像を形成する。画像形成部２０２では、画像形成ユニット５０に形成されたトナー像が、中間転写体である転写ベルト１４上に重ね合わせて転写（１次転写）された後に転写材である記録紙Ｐに再転写（２次転写）されることで、記録紙Ｐに画像が形成される。
【００２１】
イエロー（Ｙ）、マゼンタ（Ｍ）、シアン（Ｃ）、及び黒（Ｋ）の各画像形成ユニット５０Ｙ、５０Ｍ、５０Ｃ、５０Ｋは、露光光学系１２によって露光され静電潜像が形成される像担持体として円筒状に形成された光導電性の感光体ドラム１０を備える。画像形成ユニット５０Ｙ、５０Ｍ、５０Ｃ、５０Ｋは、それぞれ感光体ドラム１０の回転面に沿って、帯電器１１と、露光光学系１２と、現像器１３と、クリーニング装置２０とを備える。ベルト状の中間転写体である転写ベルト１４は、図３において画像形成ユニット５０Ｙ、５０Ｍ、５０Ｃ、５０Ｋの上側に配置されている。転写ベルト１４の周面上には、各画像形成ユニット５０において形成されたイエロー（Ｙ）、マゼンタ（Ｍ）、シアン（Ｃ）及び黒（Ｋ）の各トナー像が順次重ね合わせて転写（１次転写）される。
【００２２】
転写ベルト１４上に１次転写されたトナー像は、トナーとは反対の極性を持つ転写器１７の放電作用により、記録紙Ｐの表面に各色のトナー像が一括して転写（２次転写）される。記録紙Ｐは、給紙カセット１５からタイミングローラ１６を介して転写器１７に給紙される。トナー像が２次転写された記録紙Ｐは、最下層のイエローのトナー像から順にシアン、マゼンタ、黒のトナー像が保持された状態で定着装置１８に送られる。定着装置１８は、記録紙Ｐの上のトナーを溶着する。トナーが溶着された記録紙Ｐは、印刷物として画像形成部２０２の上部のトレイ１９に排出される。２次転写を終えた転写ベルト１４は、クリーニング装置２０により残留トナーが除去される。
【００２３】
なお、画像形成装置１は、処理に応じて読取部２０１と画像形成部２０２とをそれぞれ独立した装置として説明したが、本発明においてはこれに限定されず、読取部２０１と画像形成部２０２が一体となった形態でもよい。
【００２４】
●モーションセンサの構成
図４に示すように、モーションセンサ２０４は、筐体２０４１と、撮像素子と、レンズ２０４３と、距離センサ部２０４４とを備える。筐体２０４１は、撮像された操作者などの被写体の光学像を電気信号（画像データ）に変換する撮像素子や、取得した画像データに対して補正処理などを行う処理部などを収容する。撮像素子は、撮像された光学像を電気信号（画像データ）に変換する。撮像素子は、例えば、ＣＣＤ（Charge Coupled Device）イメージセンサや、ＣＭＯＳ（Complementary Metal Oxide Semiconductor）イメージセンサ等である。レンズ２０４３は、筐体２０４１の一部の面に設けられている開口部２０４２から外部に露出し、撮像素子が光学像を取得するために撮像素子上の任意の位置に結像させる光学素子である。
【００２５】
距離センサ部２０４４は、筐体２０４１のレンズ２０４３が設けられている面と同じ面に設けられていて、モーションセンサ２０４の基準面から被写体までの距離を測定する。距離センサ部２０４４には、例えば赤外線カメラや赤外線レーダが用いられている。距離センサ部２０４４は、例えばＴＯＦ（Time Of Flight）法や、ステレオカメラ法、光切断法、位相シフト法、空間符号化法などの被写体の距離検知方式により、モーションセンサ２０４の基準面から被写体までの距離を測定する。距離センサ部２０４４は、例えば０．５〜８．０ｍの範囲の距離で被写体までの距離を測定することができる。また、距離センサ部２０４４は、距離センサ部２０４４の垂直方向を原点とした検知範囲が、水平方向で７０°、垂直方向で６０°である。
【００２６】
モーションセンサ２０４は、操作者のジェスチャを検知しつつ操作者以外の動作をジェスチャとして検出することがないように、読取部２０１の読取面を中心とした所定範囲がジェスチャ動作の検知範囲となるように取り付けられている。モーションセンサ２０４は、図１に示したように、例えば原稿台３０２の読取面に垂直な方向を向いて取り付けられている。
【００２７】
●ジェスチャによる画像形成装置の操作処理
操作者のジェスチャにより画像形成装置１の操作を行うための構成と処理について説明する。
【００２８】
図５に示すように、画像形成装置１には、以下に説明するジェスチャによる操作を実現する、ジェスチャ検知部３０１と、操作コマンド記憶部２０７と、ジェスチャ動作特定部２０８と、コマンド制御部２０９と、画像処理部３０８とが構成されている。
【００２９】
画像形成装置１には、本発明に係る画像処理プログラムを実行させて上述の機能ブロックを実現するためのハードウェア資源が備えられている。具体的には、画像形成装置１には、画像処理プログラムが格納されているＲＯＭ（Read Only Memory）などの主記憶装置が備えられている。また、画像形成装置１には、ＲＯＭに格納されている画像処理プログラムを実行させるＣＰＵ（Central Processing Unit）などの情報処理装置が備えられている。また、画像形成装置１には、操作コマンド記憶部２０７に対応するハードディスクやフラッシュメモリなどの二次記憶装置が備えられている。画像形成装置１では、ＲＯＭから読み出された画像処理プログラムをＣＰＵに実行させて、画像処理プログラムによるジェスチャによる操作処理を行っている。
【００３０】
ジェスチャ検知部３０１の機能は、上述のモーションセンサ２０４のハードウェア構成により実現されるため、以下の説明ではモーションセンサ２０４によるジェスチャ検知部３０１としての動作を説明する。モーションセンサ２０４は、図６に示す操作者のジェスチャ動作が認識できるような画像として、操作者を撮像した動画（以下単に「画像」とする。）を生成する。モーションセンサ２０４は、図７に示すように、生成した画像から操作者の体の各部の特徴点Ｃの位置を抽出してその特徴点Ｃの位置をｘ，ｙ座標に変換する。図７において、操作者の体の各部に対応する位置に付された黒点が特徴点Ｃである。モーションセンサ２０４は、撮像した画像から体の各部の特徴点Ｃの位置座標と座標の変化とを取得する。モーションセンサ２０４は、特徴点Ｃの位置座標の変化から、操作者の体の各部の動きを特定し、手を動かした、首を振った、右目をウインクさせたなどの操作者の顔や体によるジェスチャ動作を読み取ることができる。
【００３１】
図８に示すように、操作コマンド記憶部２０７には、画像形成装置１の操作を行うためのコマンド（以下「操作コマンド」という。）ごとに、所定のジェスチャの動作（以下「所定ジェスチャ動作」という。）が対応付けられて記憶されている。操作コマンドは、例えば「コピー開始」「枚数増」「枚数減」「コピー中止」など、入力部２０５から入力される操作コマンドの一部または全部に対応している。また、データテーブルにジェスチャ動作の項目で記憶されている所定ジェスチャ動作は、例えば「うなづき」「右目ウインク」「まばたき」「首振り」「手を振る」「手をチョキにする」など、体の各部で表現できる様々な動きである。所定ジェスチャ動作の情報として、具体的には、モーションセンサ２０４が取得した画像データと距離データとに基づいて操作者の体の各部の特徴点の位置座標と照合するための位置座標の情報が記憶されている。
【００３２】
なお、所定ジェスチャ動作として特定することができるジェスチャ動作は、上述の例に限定されず、体の動作としては、例えば頭を傾ける、顔を振る、腕をまわすなど様々な動作を採用することができる。また、所定ジェスチャ動作として特定することができる顔の動作によるジェスチャ動作は、上述のウインクの他に、例えばほほ、口元の動作など、様々な動作を採用することができる。顔の動作を特定してジェスチャ動作として読み取る場合には、例えばＯｐｅｎＣＶ（Open Source Computer Vision Library）などのコンピュータービジョン向けのライブラリを使用すれば顔の動作を読み取ることができる。
【００３３】
ジェスチャ動作特定部２０８は、図７に示した画像データの特徴点Ｃの位置座標の変化に基づいて、モーションセンサ２０４が検知した操作者のジェスチャ動作が操作コマンド記憶部２０７に記憶されている所定ジェスチャ動作であるか否かを特定する。ジェスチャ動作特定部２０８は、操作者が例えばうなづく動作をしたときに特徴点Ｃが抽出された画像データに含まれる座標データと操作コマンド記憶部２０７に記憶されている所定ジェスチャ動作の座標データとを照合する。ジェスチャ動作特定部２０８は、照合した結果、操作者が行ったジェスチャ動作が所定の「うなづき」動作であると特定することができた場合には、「うなづき」動作に対応する「コピー開始」の操作コマンドをコマンド制御部２０９に出力する。
【００３４】
コマンド制御部２０９は、ジェスチャ動作特定部２０８が特定した所定ジェスチャ動作に対応付けられた操作コマンドを画像処理部３０８に出力する。画像処理部３０８は、コマンド制御部２０９が出力した操作コマンドに基づいて読取部２０１や画像形成部２０２などの画像形成装置１における画像処理に関する動作を制御する。
【００３５】
図９に示す画像処理プログラムのフローチャートを参照して、ジェスチャによる画像形成装置１の操作処理を説明する。
【００３６】
画像形成装置１では、ジェスチャによる画像形成装置１の操作処理を開始すると（Ｓ１０１）、モーションセンサ２０４が、図６に示した操作者の顔や体を撮像した画像データを生成する（Ｓ１０２）。モーションセンサ２０４は、撮像した画像データから図７に示した特徴点Ｃを抽出した画像データと特徴点Ｃの位置座標の変化のデータを生成し、ジェスチャ動作特定部２０８に出力する（Ｓ１０３）。
【００３７】
ジェスチャ動作特定部２０８は、操作者が行ったジェスチャ動作の特徴点Ｃの位置座標のデータと所定ジェスチャ動作の特徴点Ｃの位置座標のデータとから、操作者が行ったジェスチャ動作が所定ジェスチャ動作であるか否かを特定する（Ｓ１０４）。操作者が行ったジェスチャ動作が所定ジェスチャ動作である場合には（Ｓ１０４：Ｙｅｓ）、ジェスチャ動作特定部２０８は、所定ジェスチャ動作に対応する操作コマンドをコマンド制御部２０９に送信する。操作者が行ったジェスチャ動作が所定ジェスチャ動作ではない場合には（Ｓ１０４：Ｎｏ）、Ｓ１０３の処理に戻る。
【００３８】
操作コマンドを受信したコマンド制御部２０９は、ジェスチャ動作特定部２０８が特定した操作コマンドを画像処理部３０８に出力する（Ｓ１０５）。画像処理部３０８は、コマンド制御部２０９が出力した操作コマンドに基づいて読取部２０１や画像形成部２０２などの画像形成装置１における画像処理に関する動作を制御して処理を終了する（Ｓ１０６）。
【００３９】
以上説明した実施の形態では、モーションセンサ２０４を読取部２０１に設置した例を説明したが、モーションセンサ２０４の設置位置はこれに限定されない。モーションセンサ２０４の設置位置は、上面・天井など読取面を中心とした所定範囲のジェスチャ動作を検知できればよいため、例えば画像形成部２０２などに設置してもよい。
【００４０】
また、以上説明した実施の形態におけるジェスチャによる画像形成装置１の操作処理は、見開き原稿や複数原稿の集約原稿などの複写に限らず、その他通常の画像形成装置１の操作処理を行うことができる。また、以上説明した実施の形態におけるジェスチャによる操作処理は、画像形成装置１による複写処理について説明したが、本発明に係る画像処理方法は、画像読取装置における読取処理の操作など、画像処理装置全般の操作にも適用することができる。
【００４１】
●実施の形態の効果
以上説明したように、本実施の形態に係る画像形成装置１によれば、見開き原稿を読取るときに生じる原稿のずれや、複数原稿を集約するときの読取時や複写時の原稿のずれなどを防ぐことができる。
【００４２】
一般に、画像処理装置や画像形成装置において、見開き原稿を複写するときには、操作者の手によって原稿を原稿台に押し付けても読取時に原稿がずれてしまい、原稿がずれた状態で複写物が生成される場合がある。特に厚みのある本を読取る場合には、原稿のずれが大きく生じやすい。また、画像処理装置や画像形成装置において、複数用紙を同一用紙に集約して複写する場合も同様に、読取時に原稿がずれてしまい、原稿がずれた状態で複写物が生成される場合がある。
【００４３】
画像形成装置１では、操作者が両手で原稿を原稿台３０２に押し付けた状態であっても、モーションセンサ２０４に対して所定のジェスチャ動作を行うことで複写条件や複写開始などの操作コマンドを入力させることができる。このため、画像形成装置１によれば、操作者が原稿を原稿台３０２上で保持しやすくなるため、原稿がずれて読取られた複写物が生成されてしまうことを防止することができる。
【００４４】
画像形成装置１によれば、手を使わずにジェスチャ動作のみで装置の操作を行うことができるため、負傷や障害などの何らかのハンデキャップにより手を使うことができない操作者でも容易に操作できる。つまり、画像形成装置１によれば、ジェスチャ動作により操作を行うことができるため、操作インタフェースの性能を向上させることができる。
【００４５】
画像形成装置１では、モーションセンサ２０４が読取部２０１の読取面を中心とした所定範囲（例えば天井を向いた方向）がジェスチャ動作の検知範囲となるように取り付けられている。このため、画像形成装置１によれば、画像形成装置１の近くにいる操作者以外の人物がモーションセンサ２０４に映り込むことによる誤動作を回避することができる。また、画像形成装置１によれば、画像形成装置１を利用していない人物に対して、監視されている印象を与えない。
【００４６】
●画像形成装置（２）●
本発明に係る画像形成装置の別の実施の形態について、先に説明した実施の形態との相違点を中心に説明する。
【００４７】
図１０に示すように、画像形成装置２では、モーションセンサ７０４がＡＤＦ７０３の内側（ＡＤＦ７０３を閉じたときに原稿台３０２に向き合う側）に設置されている点が、先に説明した画像形成装置１と相違する。モーションセンサ７０４の構成やジェスチャによる画像形成装置２の操作処理などは、先に説明した画像形成装置１と同様である。
【００４８】
画像形成装置２では、モーションセンサ７０４がＡＤＦ７０３の内側に設置されているため、読取部２０１の読取面を中心とした所定範囲（例えば読取時に操作者が立つ位置の付近）がジェスチャ動作の検知範囲となる。
【００４９】
また、画像形成装置２では、モーションセンサ７０４がＡＤＦ７０３の内側（原稿台３０２側）に設置されているため、見開き原稿を読取るときなど、ＡＤＦ７０３を開いた状態のときのみモーションセンサ７０４が操作者の動作を検知可能になる。
【００５０】
●実施の形態の効果
以上説明したように、本実施の形態に係る画像形成装置２によれば、見開き原稿を読取るときに生じる原稿のずれや、複数原稿を集約するときの読取時や複写時の原稿のずれなどを防ぐことができる。
【００５１】
画像形成装置２によれば、手を使わずにジェスチャ動作のみで装置の操作を行うことができるため、負傷や障害などの何らかのハンデキャップにより手を使うことができない操作者でも容易に操作できる。つまり、画像形成装置２によれば、ジェスチャ動作により操作を行うことができるため、操作インタフェースの性能を向上させることができる。
【００５２】
画像形成装置２によれば、画像形成装置２の近くにいる操作者以外の人物がモーションセンサ７０４に映り込むことによる誤動作を回避することができる。また、画像形成装置２によれば、画像形成装置２を利用していない人物に対して、監視されている印象を与えない。
【００５３】
●画像形成装置（３）●
本発明に係る画像形成装置のさらに別の実施の形態について、先に説明した実施の形態との相違点を中心に説明する。
【００５４】
図１１に示すように、画像形成装置３では、モーションセンサ８０４が原稿台８０２（ＡＤＦ２０３を閉じたときにＡＤＦ２０３に向き合う側）に設置されている点が、先に説明した画像形成装置１および画像形成装置２と相違する。モーションセンサ８０４の構成やジェスチャによる画像形成装置３の操作処理などは、先に説明した画像形成装置１や画像形成装置２と同様である。
【００５５】
画像形成装置３では、モーションセンサ８０４が原稿台８０２に設置されているため、読取部２０１の読取面を中心とした所定範囲（例えば読取時操作者が立つ位置付近）がジェスチャ動作の検知範囲となる。
【００５６】
●実施の形態の効果
以上説明したように、本実施の形態に係る画像形成装置３によれば、見開き原稿を読取るときに生じる原稿のずれや、複数原稿を集約するときの読取時や複写時の原稿のずれなどを防ぐことができる。
【００５７】
画像形成装置３によれば、手を使わずにジェスチャ動作のみで装置の操作を行うことができるため、負傷や障害などの何らかのハンデキャップにより手を使うことができない操作者でも容易に操作できる。つまり、画像形成装置３によれば、ジェスチャ動作により操作を行うことができるため、操作インタフェースの性能を向上させることができる。
【００５８】
画像形成装置３によれば、画像形成装置３の近くにいる操作者以外の人物がモーションセンサ８０４に映り込むことによる誤動作を回避することができる。また、画像形成装置２によれば、画像形成装置２を利用していない人物に対して、監視されている印象を与えない。
【符号の説明】
【００５９】
１     画像形成装置
２０１ 読取部
２０２ 画像形成部
２０３ ＡＤＦ
２０４ モーションセンサ
２０５ 入力部
２０６ 表示部
２０７ 操作コマンド記憶部
２０８ ジェスチャ動作特定部
２０９ コマンド制御部
３０１ ジェスチャ検知部
３０２ 原稿台
３０４ 第１原稿走査体
３０５ 第２原稿走査体
３０６ 光学レンズ
３０７ ＣＣＤ
３０８ 画像処理部
２０４１      筐体
２０４２      開口部
２０４３      レンズ
２０４４      距離センサ部
【先行技術文献】
【特許文献】
【００６０】
【特許文献１】特許第５０２４４９５号公報
【図１】
2016131310.tif 000003
【図２】
2016131310.tif 000004
【図３】
2016131310.tif 000005
【図４】
2016131310.tif 000006
【図５】
2016131310.tif 000007
【図６】
2016131310.tif 000008
【図７】
2016131310.tif 000009
【図８】
2016131310.tif 000010
【図９】
2016131310.tif 000011
【図１０】
2016131310.tif 000012
【図１１】
2016131310.tif 000013